(57)【要約】【課題】良好な洗浄力が維持されており、すすぎ性に優れ、且つ衣料に対する抑臭効果に優れた衣料用液体洗浄剤組成物を提供する。【解決手段】  （ａ）非石鹸系アニオン性界面活性剤５質量％以上、５０質量％以下、（ｂ）脂肪酸及び脂肪酸塩から選ばれる化合物、（ｃ）アルカリ剤、（ｄ）特定のノニオン性界面活性剤、並びに、水を含有する液体洗浄剤組成物であって、  （ａ）として、（ａ−１）アルキルベンゼンスルホン酸塩、（ａ−２）アルキル硫酸塩、及び（ａ−３）ポリオキシアルキレンアルキルエーテル硫酸塩から選ばれる１以上の非石鹸系アニオン性界面活性剤を含有し、  ［（ａ−１）＋（ａ−２）］／（ａ）質量比が０．５以上、１以下であり、  （ａ−３）／（ａ）質量比が０．２以下であり、且つ、  （ａ−１）／（ａ−２）質量比が０．２５以上、９以下である、衣料用液体洗浄剤組成物。【選択図】なし【特許請求の範囲】
【請求項１】
（ａ）非石鹸系アニオン性界面活性剤〔以下、（ａ）成分という〕５質量％以上、５０質量％以下
（ｂ）脂肪酸及び脂肪酸塩から選ばれる化合物〔以下、（ｂ）成分という〕、
（ｃ）アルカリ剤〔以下、（ｃ）成分という〕、
（ｄ）下記一般式（１）で示されるノニオン性界面活性剤〔以下、（ｄ）成分という〕、並びに、
水
を含有する液体洗浄剤組成物であって、
（ａ）成分として、（ａ−１）アルキルベンゼンスルホン酸塩〔以下、（ａ−１）成分という〕、（ａ−２）アルキル硫酸塩〔以下、（ａ−２）成分という〕、及び（ａ−３）ポリオキシアルキレンアルキルエーテル硫酸塩〔以下、（ａ−３）成分という〕から選ばれる１以上の非石鹸系アニオン性界面活性剤を含有し、
（ａ−１）成分の質量と（ａ−２）成分の質量の合計と（ａ）成分の質量との質量比が、［（ａ−１）成分＋（ａ−２）成分］／（ａ）成分で、０．５以上、１以下であり、
（ａ−３）成分の質量と（ａ）成分の質量との質量比が、（ａ−３）成分／（ａ）成分で、０．２以下であり、且つ、
（ａ−１）成分の質量と（ａ−２）成分の質量との質量比が、（ａ−１）成分／（ａ−２）成分で、０．２５以上、９以下である、
衣料用液体洗浄剤組成物。
Ｒ1Ｏ−［（Ｃ2Ｈ4Ｏ）m／（ＡＯ）n］Ｈ                  （１）
〔式中、Ｒ1は炭素数８以上、２２以下の炭化水素基であり、ＡＯは炭素数３以上、５以下のアルキレンオキシ基である。ｍ、ｎは平均付加モル数であって、ｍは１８以上、６０以下の数であり、ｎは０以上、５以下の数である。“／”はＣ2Ｈ4Ｏ基及びＡＯ基が、ランダム又はブロックのいずれに結合したものであってもよいことを示す。〕
【請求項２】
（ａ）成分の質量と（ｄ）成分の質量の合計と（ｂ）成分の質量との質量比が、［（ａ）成分＋（ｄ）成分］／（ｂ）成分で、４以上、５０以下である、請求項１記載の衣料用液体洗浄剤組成物。
【請求項３】
（ｂ）成分が、炭素数１０以上、１８以下の脂肪酸及び該脂肪酸の塩から選ばれる化合物である、請求項１又は２記載の液体衣料用洗浄剤組成物。
【請求項４】
（ｂ）成分として、炭素数１２以上、１４以下の脂肪酸と炭素数１６以上、１８以下の脂肪酸とを含有する、請求項１〜３の何れか１項に記載の衣料用液体洗浄剤組成物。
【請求項５】
（ｃ）成分が、アルカノールアミン及び炭酸塩から選ばれる１種以上のアルカリ剤である、請求項１〜４の何れか１項に記載の衣料用液体洗浄剤組成物。
【請求項６】
請求項１〜５の何れか１項に記載の、抑臭・消臭効果に優れる衣料用液体洗浄剤組成物。
【発明の詳細な説明】
【技術分野】
【０００１】
本発明は、液体洗浄剤組成物、詳しくは手洗い洗濯用として好適な液体洗浄剤組成物に関する。
【背景技術】
【０００２】
衣料等の洗濯方法としては、大きく分けて手洗い洗濯と洗濯機洗濯の２種類がある。近年では、洗濯機の普及により洗濯機による洗濯が増加する傾向にあるが、汚れの落ち具合をしっかり確認できることや経済性の観点などから、世界的にみれば依然、手洗い洗濯が広く行われている。特に、水資源の少ない地域では出来るだけ少ない水で洗濯できるように手洗い洗濯を採用する場合が多い。一方、シーツなどの大物洗いは手洗い洗濯には不向きなことから、手洗い洗濯と洗濯機洗濯を併用している家庭も多く見られる。
【０００３】
手洗い洗濯も洗濯機洗濯も、ともに洗い時の泡立ちやすすぎ時の泡切れを制御することは重要である。例えば、衣料等の洗濯時に発生する泡の量は、洗濯を行う消費者にとっては、洗濯が充分にされているという充実感、安心感を生じさせる要因となるものであり、また、すすぎ時の泡残りは不安感を生じさせる要因にもなる。特に手洗い洗濯の場合は、泡残りがあると、すすぎ回数を増やす人もいる。また洗濯機洗濯の場合でも、すすぎ時の泡残りに対して激しい嫌悪感を示したり、すすぎ回数を増やす人もいる。
【０００４】
また、衣類等の洗濯では、特に近年、衛生・清潔に対する意識は高まっており、汚れ落ちといった本来の機能に加えて、抑臭・消臭といった機能が求められている。ここで抑臭機能とは、湿度が高く、洗濯物が乾きにくい状態が続いたときに発生する嫌なニオイが抑えられる機能を示す。抑臭機能に優れることは、例えば、雨の日や室内干しなど干す環境の悪い状況であっても、不快なニオイがしない、不衛生な気分にならない、気になるニオイを感じない、香料を配合した場合はいい香りを楽しめる、などのような衛生感を、よりいっそう感じさせることにつながる。
【０００５】
特許文献１には、非イオン界面活性剤、陽イオン界面活性剤、ハイドロトロープ剤、過酸化水素、水混和性溶剤を所定条件で含有する液体洗浄剤組成物が、衣料等を洗濯した後の生乾き臭を抑制できることが開示されている。
【０００６】
特許文献２には、アルキルエーテルスルホン酸ナトリウム、アルキルベンゼンスルホン酸ナトリウム、アルキルスルホン酸ナトリウム等の界面活性剤を含有する、注入可能な液体洗濯洗剤組成物が開示されている。
【０００７】
特許文献３には、アルキレンオキシ基の平均付加モル数が比較的多いポリオキシアルキレンアルキルエーテル型ノニオン性界面活性剤、特定のアニオン性界面活性剤、及び炭素数８〜１８の脂肪酸又はその塩を特定条件で含有する洗浄剤組成物が、洗浄時の洗浄力、及び泡立ち性が優れ、しかもすすぎ工程においてすばやく泡が消え、すすぎが速やかに完了する洗浄剤組成物であることが開示されている。
【０００８】
特許文献４には、ポリオキシアルキレンアルキルエーテル硫酸エステル塩、アルキルベンゼンスルホン酸塩、脂肪酸及び／又はその塩を特定条件で含有し、非イオン界面活性剤の含有量が２質量％以下である液体洗浄剤組成物が、衣料等の洗濯において、優れた洗浄力を有し、起泡性と濯ぎ性の両方に優れることが開示されている。
【先行技術文献】
【特許文献】
【０００９】
【特許文献１】特開２０１１−２４６５８５号公報
【特許文献２】特開平５−２０９１９８号公報
【特許文献３】特開２０１１−８９１０７号公報
【特許文献４】特開２０１１−２１３９９２号公報
【発明の概要】
【発明が解決しようとする課題】
【００１０】
衣料用の洗浄剤組成物では、優れた洗浄力を有することに加え、洗浄後のすすぎ時には泡が速やかに消える等のすすぎ性に優れることが望まれる。更に、近年では洗浄後の衣料のニオイについての関心が高まっており、衣料からニオイを除去する消臭効果や、洗浄後の衣料から生乾き臭などの臭気が発生しない抑臭効果に優れることも望まれる。
【００１１】
本発明は、良好な洗浄力が維持されており、すすぎ性に優れ、且つ衣料に対する抑臭効果に優れた衣料用液体洗浄剤組成物を提供する。
【課題を解決するための手段】
【００１２】
本発明は、
（ａ）非石鹸系アニオン性界面活性剤〔以下、（ａ）成分という〕５質量％以上、５０質量％以下
（ｂ）脂肪酸及び脂肪酸塩から選ばれる化合物〔以下、（ｂ）成分という〕、
（ｃ）アルカリ剤〔以下、（ｃ）成分という〕、
（ｄ）下記一般式（１）で示されるノニオン性界面活性剤〔以下、（ｄ）成分という〕、並びに、
水
を含有する液体洗浄剤組成物であって、
（ａ）成分として、（ａ−１）アルキルベンゼンスルホン酸塩〔以下、（ａ−１）成分という〕、（ａ−２）アルキル硫酸塩〔以下、（ａ−２）成分という〕、及び（ａ−３）ポリオキシアルキレンアルキルエーテル硫酸塩〔以下、（ａ−３）成分という〕から選ばれる１以上の非石鹸系アニオン性界面活性剤を含有し、
（ａ−１）成分の質量と（ａ−２）成分の質量の合計と（ａ）成分の質量との質量比が、［（ａ−１）成分＋（ａ−２）成分］／（ａ）成分で、０．５以上、１以下であり、
（ａ−３）成分の質量と（ａ）成分の質量との質量比が、（ａ−３）成分／（ａ）成分で、０．２以下であり、且つ、
（ａ−１）成分の質量と（ａ−２）成分の質量との質量比が、（ａ−１）成分／（ａ−２）成分で、０．２５以上、９以下である、
衣料用液体洗浄剤組成物に関する。
Ｒ1Ｏ−［（Ｃ2Ｈ4Ｏ）m／（ＡＯ）n］Ｈ                  （１）
〔式中、Ｒ1は炭素数８以上、２２以下の炭化水素基であり、ＡＯは炭素数３以上、５以下のアルキレンオキシ基である。ｍ、ｎは平均付加モル数であって、ｍは１８以上、６０以下の数であり、ｎは０以上、５以下の数である。“／”はＣ2Ｈ4Ｏ基及びＡＯ基が、ランダム又はブロックのいずれに結合したものであってもよいことを示す。〕
【発明の効果】
【００１３】
本発明によれば、良好な洗浄力が維持されており、すすぎ性に優れ、且つ衣料に対する抑臭効果に優れた衣料用液体洗浄剤組成物が提供される。
【発明を実施するための形態】
【００１４】
＜（ａ）成分＞
本発明の（ａ）成分は非石鹸系アニオン性界面活性剤であり、（ａ−１）アルキルベンゼンスルホン酸塩〔（ａ−１）成分〕、（ａ−２）アルキル硫酸塩〔（ａ−２）成分〕、及び（ａ−３）ポリオキシアルキレンアルキルエーテル硫酸塩〔（ａ−３）成分〕から選ばれる１以上の非石鹸系アニオン性界面活性剤を所定の条件で含有する。
【００１５】
〔（ａ−１）成分〕
（ａ−１）成分のアルキルベンゼンスルホン酸塩としては、限定されるものではないが、炭素数８以上、更に１０以上、そして、２０以下、更に１５以下のアルキル基を有するアルキルベンゼンスルホン酸塩が好ましい。また、（ａ−１）成分が有するアルキル基は直鎖アルキル基が好ましい。
【００１６】
アルキルベンゼンスルホン酸塩は、ナトリウム、カリウムなどのアルカリ金属塩、アルカノールアミン塩、又はマグネシウム、カルシウムなどのアルカリ土類金属塩などを挙げることができるが、洗浄性や組成物の保存安定性の観点から、アルカリ金属塩、又はアルカノールアミン塩であることが好ましい。本発明の組成物を調製する場合、アルキルベンゼンスルホン酸（酸型）を組成物中に添加し、系内でアルカリと中和反応させアルキルベンゼンスルホン酸塩としてもよいし、予め中和した後、組成物中に添加してもよい。アルキルベンゼンスルホン酸の中和には、（ｃ）成分である、水酸化ナトリウム、水酸化カリウム、水酸化リチウム、水酸化アンモニウムなどの強塩基、アルカノールアミン、炭酸塩等を用いることができる。
【００１７】
〔（ａ−２）成分〕
本発明の（ａ−２）成分は、アルキル硫酸塩であり、アルキル基の炭素数は１０以上、更に１２以上、そして、１６以下が好ましい。すなわち、（ａ−２）成分は、炭素数１０以上、更に１２以上、そして、１６以下のアルキル基を有するアルキル硫酸塩が好ましい。
【００１８】
（ａ−２）成分は、全アルキル基中の炭素数１２以上、１６以下の直鎖アルキル基の割合が５０質量％以上であるアルキル硫酸塩が好ましい。再生産可能な原料を用いることで環境負荷を低減するという観点から、全アルキル基中の直鎖アルキル基の割合は７０質量％以上が好ましく、８０質量％以上がより好ましく、９０質量％以上が更に好ましく、９９質量％以上が特に好ましく、１００質量％、すなわち（ａ−２）成分が直鎖アルキル硫酸塩であることが最も好ましい。
【００１９】
（ａ−２）成分を構成する塩はナトリウム、カリウムなどのアルカリ金属塩、アルカノールアミン塩、及びマグネシウム、カルシウムなどのアルカリ土類金属塩などを挙げることができるが、洗浄性能、泡立ち性、溶解性の観点からアルカリ金属塩が好ましく、ナトリウムがより好ましい。
【００２０】
〔（ａ−３）成分〕
（ａ−３）成分のポリオキシアルキレンアルキルエーテル硫酸エステル塩としては、限定されるものではないが、例えば、炭素数１０以上、更に１２以上、また、２０以下、更に１４以下のアルキル基、好ましくは、炭素数１０以上、更に１２以上、また、２０以下、更に１４以下の直鎖１級アルコール若しくは直鎖２級アルコール由来のアルキル基又は炭素数１０以上、更に１２以上、また、２０以下、更に１４以下の分岐アルコール由来のアルキル基を有し、アルキレンオキシ基の平均付加モル数が０以上、更に０より大きい、更に０．５以上、更に１以上、また、５以下、更に４以下、更に３以下のものが挙げられる。（ａ−３）成分は、アルキレンオキシ基としてエチレンオキシ基を含むものが挙げられるが、平均付加モル数０．２〜２モルの範囲でプロピレンオキシ基を含んでいてもよい。塩はアルカリ金属塩が好ましく、ナトリウム塩及びカリウム塩から選ばれる塩がより好ましく、ナトリウム塩が更に好ましい。本発明においては、（ａ−３）成分は、所定の条件を満たした上で、含有してもよい成分である。
【００２１】
〔その他の（ａ）成分〕
（ａ−１）成分、（ａ−２）成分及び（ａ−３）以外の（ａ）成分としては、パラフィンスルホン酸塩、α−スルホ脂肪酸アルキルエステル塩、及びα−オレフィンスルホン酸塩から選ばれる非石鹸系アニオン性界面活性剤が挙げられる。
【００２２】
＜（ｂ）成分＞
本発明の（ｂ）成分は脂肪酸及び脂肪酸塩から選ばれる化合物である。（ｂ）成分としては、限定されるものではないが、（ｂ）成分としては、炭素数８以上、更に１０以上、また、炭素数４４以下、更に２８以下、更に１８以下の脂肪酸及び該脂肪酸の塩から選ばれる化合物が挙げられる。例えば炭素数８以上、更に１０以上、また、炭素数４４以下、更に２８以下、更に１８以下の直鎖又は分岐鎖のアルキル基を有するものが挙げられる。
【００２３】
（ｂ）成分は、不飽和結合を有しても構わないが、その数は２以下、好ましくは１以下、より好ましくは０であることがすすぎ性の観点からより望ましい。従って、（ｂ）成分は、飽和脂肪酸及び飽和脂肪酸塩から選ばれる化合物が好ましい。
【００２４】
（ｂ）成分としては、具体的には、ラウリン酸又はその塩、ミリスチン酸又はその塩、ラウリン酸、ミリスチン酸を多く含むココヤシ由来の脂肪酸の混合物又はその塩などが挙げられ、洗浄力、起泡性、すすぎ性の観点から、ラウリン酸及びその塩、並びにミリスチン酸及びその塩から選ばれる一種以上の化合物を含むことが好ましく、更にミリスチン酸及びその塩から選ばれる一種以上の化合物を含むことがより好ましい。
【００２５】
（ｂ）成分の脂肪酸塩は、ナトリウム、カリウムなどのアルカリ金属塩又はアルカノールアミン塩であることが、すすぎ性の観点から好ましい。本発明の組成物を調製する場合、酸型の化合物である脂肪酸を組成物中に添加し、系内でアルカリと中和反応させてもよいし、予め中和した後、組成物中に添加してもよい。脂肪酸の中和には、（ｃ）成分である、水酸化ナトリウム、水酸化カリウム、水酸化リチウム、水酸化アンモニウムなどの強塩基、アルカノールアミン、炭酸塩等を用いることができる。
【００２６】
（ｂ）成分として、炭素数が１２以上、１４以下の脂肪酸（以下、Ｃ12〜14脂肪酸という）と炭素数１６以上、１８以下の脂肪酸（以下、Ｃ16〜18脂肪酸という）とを含有することは、洗浄力、起泡性、すすぎ性に優れると共に、低温保存安定性など、組成物の安定性を考慮した場合にも好ましいものである。
【００２７】
（ｂ）成分としてＣ12〜14脂肪酸とＣ16〜18脂肪酸とを含む場合、Ｃ12〜14脂肪酸に対するＣ16〜18脂肪酸の質量比、すなわち、Ｃ16〜18脂肪酸／Ｃ12〜14脂肪酸の質量比は、低温保存安定性の向上の観点から、好ましくは１／９９以上、更に４／９６以上、更に８／９２以上、更に１２／８８以上、更に１８／８２以上であり、また、好ましくは６０／４０以下、更に５０／５０以下、更に４０／６０以下である。
【００２８】
Ｃ12〜14脂肪酸としては、直鎖又はメチル分岐鎖を有する炭素数１２以上、１４以下の脂肪酸及びその塩から選ばれる化合物が挙げられる。Ｃ12〜14脂肪酸として、炭素数１２の脂肪酸又はその塩、具体的にはラウリン酸又はその塩を含むことが好ましい。ここで、炭素数１２の脂肪酸又はその塩をＣ12脂肪酸と表記する。（ｂ）成分としてＣ12脂肪酸を含むことが好ましく、Ｃ12〜14脂肪酸の全量に占めるＣ12脂肪酸の割合は６０質量％以上、更に８０質量％以上、更に９５質量％以下、更に１００質量％が好ましい。
【００２９】
また、Ｃ16〜18脂肪酸としては、直鎖又はメチル分岐鎖を有する炭素数１６以上、１８以下の脂肪酸及びその塩から選ばれる化合物が挙げられる。Ｃ16〜18脂肪酸として、炭素数１６の脂肪酸又はその塩、具体的にはパルミチン酸又はその塩を含むことが好ましい。
【００３０】
また、Ｃ12〜14脂肪酸として炭素数１２の脂肪酸又はその塩を含有し、且つＣ16〜18脂肪酸として炭素数１６の脂肪酸又はその塩を含有することが好ましい。（ｂ）成分中、更に、Ｃ12〜14脂肪酸とＣ16〜18脂肪酸の含有量の合計中、炭素数１２の脂肪酸又はその塩と炭素数１６の脂肪酸又はその塩の含有量の合計の割合が、７０質量％以上、更に８０質量％以上、更に９０質量％以上、更に９５質量％以上であることが好ましく、そして、１００質量％以下が好ましく、１００質量％であってもよい。
【００３１】
＜（ｃ）成分＞
（ｃ）成分はアルカリ剤であり、アルカノールアミン、炭酸塩及びアルカリ金属水酸化物から選ばれる１種以上のアルカリ剤が挙げられる。（ｃ）成分は、アルカノールアミン及び炭酸塩から選ばれる１種以上のアルカリ剤が好ましい。
【００３２】
（ｃ）成分は洗浄性、濯ぎ性の観点から、２５℃のｐＫａが８．５以上、更に８．７以上、更に９以上、また、１０．６以下、更に１０以下、更に９．６以下であることが好ましい。
【００３３】
アルカノールアミンとしては、炭素数２以上、４以下のアルカノール基を１以上、３以下、有するアルカノールアミンを挙げることができる。このうちアルカノール基はヒドロキシエチル基であるものが好ましい。アルカノール基以外は水素原子であるが、炭素数１以上、５以下のアルキル基、更にメチル基であっても（ｃ）成分として使用することができる。
【００３４】
アルカノールアミンとしては、モノエタノールアミン（ｐＫａ＝９．５２）、Ｎ−メチルエタノールアミン、Ｎ，Ｎ−ジメチルエタノールアミン、Ｎ，Ｎ−ジエチルエタノールアミン、モノイソプロパノールアミン等のモノアルカノールアミン、ジエタノールアミン（ｐＫａ＝８．９０）、Ｎ−メチルジエタノールアミン、Ｎ−ブチルジエタノールアミン等のジアルカノールアミン、及びこれらの混合物（モノアルカノールアミン、ジアルカノールアミンの混合物）等のアルカノールアミン類が挙げられる。本発明では、モノアルカノールアミン及びジアルカノールアミンから選ばれる一種以上のアルカノールアミンが好ましく、モノエタノールアミン及びジエタノールアミンから選ばれる一種以上のアルカノールアミンがより好ましく、洗浄性の観点からモノエタノールアミンが更に好ましい。
【００３５】
炭酸塩としては、炭酸水素アルカリ金属塩、炭酸アルカリ金属塩及びセスキ炭酸アルカリ金属塩からなる群から選ばれる一種以上の化合物を挙げることができる。炭酸塩としては、ナトリウム塩等のアルカリ金属塩が望ましく、更に系の塩強度を抑制する点から炭酸水素ナトリウム塩が好ましい。
【００３６】
（ｃ）成分としては、炭素数２以上、４以下のアルカノール基を１以上、３以下、有するアルカノールアミン、炭酸塩及びアルカリ金属水酸化物から選ばれる１種以上のアルカリ剤が挙げられる。
【００３７】
本発明の液体洗浄剤組成物では、（ｃ）成分として、アルカノールアミンと炭酸塩とを併用することにより、洗浄性や保存安定性を向上できる。従って、（ｃ）成分として、アルカノールアミンと炭酸塩とを含有することが好ましい。
【００３８】
（ｃ）成分は、前述した（ａ）成分や（ｂ）成分の中和にも用いても良い。洗浄性、及び手肌への低刺激性の観点から、本発明の液体洗浄剤組成物のｐＨ緩衝能が後述するｐＨの範囲で良好に発現することが望ましく、そのためには（ｃ）成分のうち例えば２５℃のｐＫａを８．０以上、１０．６以下の範囲に持つ化合物を組み合わせることが望ましい。
【００３９】
（ｃ）成分としては、アルカリ金属水酸化物、具体的には、水酸化ナトリウム、水酸化カリウム及び水酸化リチウムから選ばれる化合物を使用することもできる。また、水酸化アンモニウムなどを使用することもできる。また、（ａ）成分や（ｂ）成分を中和する成分として（ｃ）成分が機能することもできる。なお、水酸化ナトリウムなどのアルカリ金属水酸化物は、組成物の調製の際、水溶液で用いることが好ましい。
【００４０】
＜（ｄ）成分＞
本発明の（ｄ）成分は下記一般式（１）で表されるノニオン性界面活性剤である。
Ｒ1Ｏ−［（Ｃ2Ｈ4Ｏ）m／（ＡＯ）n］Ｈ                  （１）
〔式中、Ｒ1は炭素数８以上、２２以下の炭化水素基であり、ＡＯは炭素数３以上、５以下のアルキレンオキシ基である。ｍ、ｎは平均付加モル数であって、ｍは１８以上、６０以下の数であり、ｎは０以上、５以下の数である。“／”はＣ2Ｈ4Ｏ基及びＡＯ基が、ランダム又はブロックのいずれに結合したものであってもよいことを示す。〕
【００４１】
（ｄ）成分の一般式（１）中、Ｒ1は炭素数８以上、２２以下の炭化水素基であり、炭素数１０以上、そして、１８以下、更に１６以下、更に１４以下の炭化水素基が好ましい。また、Ｒ1は鎖式炭化水素基、更に直鎖の炭化水素基が好ましい。また、Ｒ1の炭化水素基としては、アルキル基又はアルケニル基が好ましく、アルキル基がより好ましい。Ｒ1は、直鎖又は分岐鎖のアルキル基が好ましく、直鎖アルキル基がより好ましい。本発明では酸素原子に結合するＲ1の炭素原子が第一炭素原子であってもよい。このようなアルキル基は天然油脂由来の脂肪族アルコールを原料として用いることができる。一般式（１）中のＲ1−Ｏ−の酸素原子に結合するＲ1の炭素原子が第１炭素原子であるものは、第２炭素原子による化合物よりも洗浄力に優れる。特にＲ1は第１炭素原子を有する直鎖アルキル基が好ましい。
【００４２】
一般式（１）の化合物を得る方法は、特に限定されるものではないが、炭素数８以上、２２以下のアルコールにエチレンオキシドを付加反応すること、あるいはエチレンオキシドと炭素数３以上、５以下のアルキレンオキシドを付加反応することによって得ることができる。
【００４３】
一般式（１）中のｍはエチレンオキシ基の平均付加モル数であって、ｍの下限値は、すすぎ性、洗浄性能の点から、１８以上、更に２０以上である。更に２２以上、更に２６以上、更に３０以上であっても良い。また、上限値は、製造し易さの点から、好ましくは４５以下、より好ましくは３５以下である。また、一般式（１）中のｎは炭素数３以上、５以下のアルキレンオキシ基の平均付加モル数であり、洗浄性能の点から下限値は０以上、好ましくは１以上であり、上限値は５以下、好ましくは４以下、より好ましくは３以下である。
更に、一般式（１）中のｍとｎの合計の下限値は、すすぎ性、洗浄性能の点から、１８以上、更に２０以上であることが好ましい。更に２２以上、更に２６以上、更に３０以上であっても良い。また、上限値は、製造し易さの点から、４５以下、更に３５以下であることが好ましい。
【００４４】
一般式（１）中のＡＯであるアルキレンオキシ基は、アルキレンオキシドの付加反応による場合はメチル分岐、エチル分岐ないしプロピル分岐した構造を有する。ＡＯは、プロピレンオキシドを付加反応させて得られるプロピレンオキシ基（以下、ＰＯと表記する場合がある）であることが好ましい。
【００４５】
ところで、Ｒ1Ｏ−の近い位置にＡＯが存在する構造の場合、ＡＯは疎水性基であることから、Ｒ1である鎖式炭化水素基が延長された構造に類似する構造になり、疎水性が高まる傾向を示す。本発明の（ｄ）成分は、一般式（１）において、Ｒ1−Ｏ−Ｃ2Ｈ4Ｏ−である化合物の割合が、（ｄ）成分を構成している化合物中の７５モル％以上、更に８０モル％以上（上限は１００モル％以下）であることが好ましい。
【００４６】
更には（ｄ）成分は、一般式（１）において、前記の、Ｒ1−Ｏ−Ｃ2Ｈ4Ｏ−の条件を満たした上で、末端が−Ｃ2Ｈ4Ｏ−Ｈの割合も高いものが、末端が疎水性基の炭素数３以上、５以下のアルキレンオキシ基の−ＡＯ−Ｈである場合よりも、繊維の吸着性が低いことから好ましい。特には末端が−Ｃ2Ｈ4Ｏ−Ｈの構造を有する化合物が７０モル％以上、更に８０モル％以上（上限は１００モル％以下）であることがより好ましい。なおＲ1−Ｏ−Ｃ2Ｈ4Ｏ−や−Ｃ2Ｈ4Ｏ−Ｈの割合はＣ13−ＮＭＲを用いた定量測定で求めることができる。
【００４７】
＜液体洗浄剤組成物＞
本発明の液体洗浄剤組成物は、（ａ）成分を、５質量％以上、５０質量％以下含有する。抑臭効果、洗浄力の観点から、（ａ）成分を、組成物中、７質量％以上、更に９質量％以上含有することが好ましく、また、すすぎ性、製品安定性の観点から、４０質量％以下、更に３０質量％以下、より更に２０質量％以下含有することが好ましい。なお、本発明では、（ａ）成分は、ナトリウム塩換算の量に基づいて質量％や質量比を算出するものとする。
【００４８】
本発明の液体洗浄剤組成物は、（ｂ）成分を、すすぎ性の観点から、０．４質量％以上、更に０．６質量％以上、より更に０．８質量％以上含有することが好ましく、また、泡立ち性の観点から、５質量％以下、更に４質量％以下、より更に３質量％以下、より更に２．５質量％以下含有することが好ましい。なお、本発明では、（ｂ）成分は、ナトリウム塩換算の量に基づいて質量％や質量比を算出するものとする。
【００４９】
本発明の液体洗浄剤組成物は、洗浄性能の観点から（ｃ）成分を１質量％以上、更に１．５質量％以上、そして、６質量％以下、更に３質量％以下含有することが好ましい。（ｃ）成分のうち、アルカノールアミンについては、アミン臭のマスキング効果の観点から、組成物中の含有量は３質量％以下が好ましい。また、（ｃ）成分のうち、炭酸塩については、製品安定性の観点から、組成物中の含有量は３質量％以下、更に２．５質量％以下が好ましい。
【００５０】
本発明の液体洗浄剤組成物は、（ｄ）成分を、洗浄力の観点から、０．５質量％以上、更に１．０質量％以上、より更に１．５質量％以上含有することが好ましく、また、すすぎ性の観点から、５．０質量％以下、更に３．０質量％以下、より更に２．５質量％以下に含有することが好ましい。
各成分の含有量は、以下の質量比を満たす範囲で選択される。
【００５１】
また、本発明の液体洗浄剤組成物では、（ａ−１）成分の質量と（ａ−２）成分の質量の合計と（ａ）成分の質量との質量比が、［（ａ−１）成分＋（ａ−２）成分］／（ａ）成分で、０．５以上、１以下である。［（ａ−１）成分＋（ａ−２）成分］／（ａ）成分の質量比は、抑臭効果の観点から、０．６以上、更に０．７以上、更に０．８以上、更に０．９以上、更に０．９５以上であることが好ましい。
【００５２】
本発明の液体洗浄剤組成物では、（ａ−３）成分の質量と（ａ）成分の質量との質量比が、（ａ−３）成分／（ａ）成分で、０．２以下である。（ａ−３）成分／（ａ）成分の質量比は、抑臭効果の観点から、０．１以下、更に０．０５以下、更に０であることが好ましい。
【００５３】
本発明の液体洗浄剤組成物では、（ａ−１）成分の質量と（ａ−２）成分の質量との質量比が、（ａ−１）成分／（ａ−２）成分で、０．２５以上、９以下である。（ａ−１）成分／（ａ−２）成分の質量比は、抑臭効果、製品安定性の観点から、０．４以上、更に０．４５以上、更に０．５以上、更に０．７以上、更に０．９以上、更に１以上であることが好ましい。また、（ａ−１）成分／（ａ−２）成分の質量比は、抑臭効果、洗浄力の観点から、６以下、更に４以下、更に２以下、更に１．５以下であることが好ましい。
【００５４】
本発明の液体洗浄剤組成物では、（ａ）成分の質量と（ｄ）成分の質量の合計と（ｂ）成分の質量との質量比が、［（ａ）成分＋（ｄ）成分］／（ｂ）成分で、４以上、５０以下であることが好ましい。［（ａ）成分＋（ｄ）成分］／（ｂ）成分の質量比は、洗い時の泡立ちの観点から、６以上、更に８以上、更に１０以上、更に１２以上、更に１４以上であることが好ましい。また、質量比は、すすぎ性の観点から、５０以下、更に４０以下、更に３０以下、更に２５以下であることが好ましい。
【００５５】
本発明の液体洗浄剤組成物において、水の含有量は、組成物全体で１００質量％となる量であって、組成物中、３０質量％以上、更に４０質量％以上、より更に５０質量％以上が好ましく、また、９０質量％以下、更に８５質量％以下、より更に８０質量％以下が好ましい。
【００５６】
本発明の液体洗浄剤組成物は、（ｆ）成分として、（ａ）成分、（ｂ）成分及び上記（ｄ）成分以外の界面活性剤を本発明の効果を損なわない範囲で含有することができる。本発明では、（ｆ）成分の割合が、全界面活性剤中の２０質量％以下、更に１０質量％以下、より更には５質量％以下であることが好ましい。
【００５７】
（ｆ）成分としては、限定されるものでないが、アミンオキシド又はベタインなどが挙げられる。これらは、例えば、「泡のエンジニアリング」（株式会社テクノシステム発行、２００５年）に記載されているように、泡ブースターとしての機能を持つため、本発明の洗浄剤組成物の起泡力を高めることができる。（ｆ）成分のうち、アミンオキシド及びベタインから選ばれる泡ブースター、中でもアミンオキシドから選ばれる泡ブースターは、すすぎ性を損なわないために、組成物中の５質量％以下、更には３質量％以下、更には１．５質量％以下、更には０．５質量％以下が好ましい。
【００５８】
アミンオキシドとしては、炭素数８以上、更に１２以上、また、炭素数１８以下、更に１４以下の長鎖長のアルキル基と炭素数１〜３のアルキル基、好ましくはメチル基とを有する、モノ長鎖アルキルアミンオキシドなどを挙げることができる。ベタインとしては、アルキルアミドプロピルベタインを挙げることができる。中でも、炭素数が１２のラウラミドプロピルベタインやヤシ油組成のココアミドプロピルベタインが一般的である。この内、上記ベタインから選ばれる泡ブースターの組成物中の含有量は、１．５質量％以下、更に１質量％以下、更に０．５質量％以下、更に０．３質量％以下が好ましい。
【００５９】
（ｆ）成分として使用できる界面活性剤としては、ポリオキシアルキレンソルビタン脂肪酸エステル、ポリオキシアルキレン脂肪酸エステル、ポリオキシアルキレンアルキルエーテル〔（ｄ）成分以外のもの〕、ポリオキシアルキレンアルキルフェニルエーテル、ショ糖脂肪酸エステル、ソルビタン脂肪酸エステル、脂肪酸アルカノールアミド、及びアルキルグリコシドから選ばれるノニオン性界面活性剤が挙げられる。また、モノ又はジアルキルアミン及びそのポリオキシエチレン付加物、及びモノ又はジ長鎖アルキル第４級アンモニウム塩から選ばれるカチオン性界面活性剤が挙げられる。
【００６０】
本発明の液体洗浄剤組成物は、洗浄性、特に塗布洗浄性と手肌への低刺激性の観点から、ＪＩＳ  Ｋ３３６２：２００８  ８．３記載の２５℃で測定するｐＨが、好ましくは９以上、更に好ましくは９．３以上、より好ましくは９．５以上である。一方、好ましくは１１以下、更に好ましくは１０．５以下、より好ましくは１０．２以下、更により好ましくは１０以下である。ｐＨは、組成物中に配合される成分の種類や配合量、なかでも、アルキルベンゼンスルホン酸塩の酸型化合物、（ｂ）成分、（ｃ）成分の種類や配合量により調整でき、必要に応じて塩酸（例えば６Ｎ−ＨＣｌ）、クエン酸、パラトルエンスルホン酸（ＰＴＳ）、パラクメンスルホン酸（ＰＣＳ）等の酸剤を用いて調整してもよい。
【００６１】
本発明の液体洗浄剤組成物は、すばやい泡切れと洗浄性能の観点、手肌への優しさから、液体洗浄剤組成物をアルカリ度＝６５ＣａＣＯ3ｍｇ／ｌ、ｐＨ７．１５の水で２００倍希釈した水希釈物のＪＩＳ  Ｋ３３６２：２００８  ８．３記載の２５℃で測定するｐＨが、好ましくは８．５以上、より好ましくは８．７以上、更に好ましくは８．９以上、更により好ましくは９以上であり、また、好ましくは１０．５以下、より好ましくは１０．１以下、更に好ましくは９．７以下、更により好ましくは９．５以下である。本発明の（ｃ）成分はこのような性質を付与するのに適切なｐＫａを有するアルカリ剤であり、これらを組み合わせて配合することにより、このような性質を組成物に付与することができる。
【００６２】
以下に、前記水希釈物の調製に用いる水のアルカリ度の測定方法を示す（以下、特記しない限り本発明のアルカリ度はこの方法で測定されたものをいう）。
【００６３】
検水１００ｍｌを２００ｍｌビーカーにとり、指示薬としてブロモクレゾールグリーン−メチルレッド・エタノール溶液（和光純薬工業（株）製）を０．１５ｍｌ加える。検水に残留塩素があるときは、あらかじめ検水１００ｍｌにチオ硫酸ナトリウム溶液（０．３ｗ／ｖ％）を加えて残留塩素を除いておく。この溶液を緩やかに攪拌しながら１０ｍｍｏｌ／ｌ硫酸で、溶液の色が青から赤紫色になるまで滴定する。次式によってアルカリ度を算出する。
アルカリ度（ＣａＣＯ3ｍｇ／ｌ）＝ａ×１０
ここで、ａ：滴定に要した１０ｍｍｏｌ／ｌ硫酸（ｍｌ）
着色した試料など、指示薬による変色が明らかでない場合には、指示薬に代えてｐＨ計を使用し、ｐＨ値が４．８までに要した１０ｍｍｏｌ／ｌ硫酸量（ｍｌ）をａとする。
【００６４】
また、本発明の液体洗浄剤組成物は、すばやい泡切れの観点から、液体洗浄剤組成物をアルカリ度＝６５ＣａＣＯ3ｍｇ／ｌ、ｐＨ７．１５の水で２００倍希釈した水希釈物に、１規定の塩酸を、前記水希釈物１Ｌあたり０．５ｇ添加した場合のＪＩＳ  Ｋ３３６２：２００８  ８．３記載の２５℃で測定するｐＨが、８．５以上、更に８．８以上、より更に９以上、より更に９．２以上であることが好ましく、一方、１１以下、更に１０以下、より更に９．５以下であることが好ましい。本発明の（ｃ）成分はこのような性質を付与するのに適切なｐＫａを有するアルカリ剤であり、これらを組み合わせて配合することにより、このような性質を組成物に付与することができる。なお、塩酸を用いた理由は、汗や皮脂等の酸性汚れを想定した点にある。
【００６５】
本発明の液体洗浄剤組成物に配合できるその他の成分として、例えば、ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸等のアミノポリ酢酸又はこれらの塩、ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸等の有機酸又はこれらの塩などのキレート剤、好ましくは分子量が１，０００以下のキレート剤を配合できる。キレート剤の含有量は、組成物中、０．００１質量％以上、更に０．０１質量％以上、更に０．０３質量％以上であることが、または、１０質量％以下、更に３質量％以下、更に１質量％以下であることが好ましい。
【００６６】
その他、洗浄剤組成物の溶液安定性や透明性の向上を目的に水混和性有機溶剤〔以下、（ｇ）成分という〕を含有しても良い。本発明でいう水混和性有機溶剤とは、２５℃のイオン交換水１Ｌに５０ｇ以上溶解するもの、すなわち、溶解の程度が５０ｇ／Ｌ以上である溶剤を指す。（ｇ）成分の含有量は、溶液安定性と透明性の向上の観点から、組成物中、０．１質量％以上、更に０．３質量％以上、更に０．５質量％以上、更に１質量％以上、１．５質量％以上、より更に２質量％以上であることが、または、４０質量％以下、更に２０質量％以下、更に１０質量％以下、より更に５質量％以下であることが好ましい。
【００６７】
（ｇ）成分としては、（ｇ１）エタノール、１−プロパノール、２−プロパノール、１−ブタノールなどのアルカノール類、（ｇ２）プロピレングリコール、ブチレングリコール、ヘキシレングリコールなどのグリコール類、（ｇ３）ジエチレングリコール、トリエチレングリコール、テトラエチレングリコール、ジプロピレングリコール、トリプロピレングリコールなどのグリコール類、（ｇ４）ジエチレングリコールモノメチルエーテル、ジエチレングリコールジメチルエーテル、トリエチレングリコールモノメチルエーテル、ジエチレングリコールモノエチルエーテル、ジエチレングリコールジエチルエーテル、ジプロピレングリコールモノメチルエーテル、ジプロピレングリコールモノエチルエーテル、トリプロピレングリコールモノメチルエーテル、１−メトキシ−２−プロパノール、１−エトキシ−２−プロパノール、１−メチルグリセリンエーテル、２−メチルグリセリンエーテル、１，３−ジメチルグリセリンエーテル、１−エチルグリセリンエーテル、１，３−ジエチルグリセリンエーテル、トリエチルグリセリンエーテル、１−ペンチルグリセリルエーテル、２−ペンチルグリセリルエーテル、１−オクチルグリセリルエーテル、２−エチルヘキシルグリセリルエーテル、ジエチレングリコールモノブチルエーテル（ブトキシジグリコールとも呼ばれる）などのアルキルエーテル類、（ｇ５）２−フェノキシエタノール、ジエチレングリコールモノフェニルエーテル、トリエチレングリコールモノフェニルエーテル、平均分子量約４８０のポリエチレングリコールモノフェニルエーテル、２−ベンジルオキシエタノール、ジエチレングリコールモノベンジルエーテル等の芳香族エーテル類、が挙げられる。
【００６８】
水混和性有機溶剤は同時に、組成物の粘度調整剤、ゲル化抑制剤として有効であり、上記の（ｇ１）アルカノール類、（ｇ２）グリコール類、（ｇ４）アルキルエーテル類、（ｇ５）芳香族エーテル類から選ばれる１種以上を用いることが好ましく、より好ましくは（ｇ２）グリコール類、（ｇ４）アルキルエーテル類、（ｇ５）芳香族エーテル類から選ばれるものであり、更に好ましくは（ｇ４）アルキルエーテル類である。より更に、ジエチレングリコールモノブチルエーテルが好ましい。（ｇ）成分は粘度調整やゲル化抑制に効果的である。
【００６９】
本発明の液体洗浄剤組成物に配合できるその他の成分として、次の（ｉ）〜（xiii）に示す成分を本発明の効果を損なわない程度で配合することができる。
【００７０】
（ｉ）ポリアクリル酸、ポリマレイン酸、カルボキシメチルセルロース、重量平均分子量５，０００以上のポリエチレングリコール、無水マレイン酸−ジイソブチレン共重合体、無水マレイン酸−メチルビニルエーテル共重合体、無水マレイン酸−酢酸ビニル共重合体、ナフタレンスルホン酸塩ホルマリン縮合物、及び特開昭５９−６２６１４号公報の請求項１〜２１（１頁３欄５行〜３頁４欄１４行）記載のポリマーなどの再汚染防止剤及び分散剤、好ましくはポリアクリル酸、ポリマレイン酸又はそれらの塩、より好ましくはポリアクリル酸又はその塩（含有量は、組成物中、好ましくは０．１質量％以上、更に０．５質量％以上、更に１質量％以上、そして、１０質量％以下、更に５質量％以下、更に３質量％以下）
（ii）ポリビニルピロリドン等の色移り防止剤
（iii）過酸化水素、過炭酸ナトリウム、過硼酸ナトリウム等の漂白剤
（iv）テトラアセチルエチレンジアミン、特開平６−３１６７００号の一般式（Ｉ−２）〜（Ｉ−７）で表される漂白活性化剤等の漂白活性化剤
（ｖ）セルラーゼ、アミラーゼ、ペクチナーゼ、プロテアーゼ、リパーゼ等の酵素
（vi）ホウ素化合物、カルシウムイオン源（カルシウムイオン供給化合物）、ビヒドロキシ化合物、蟻酸等の酵素安定化剤
（vii）蛍光染料、例えばチノパールＣＢＳ（商品名、チバスペシャリティケミカルズ製）やホワイテックスＳＡ（商品名、住友化学社製）として市販されている蛍光染料
（viii）ブチルヒドロキシトルエン、ジスチレン化クレゾール、亜硫酸ナトリウム及び亜硫酸水素ナトリウム等の酸化防止剤
（ix）パラトルエンスルホン酸、クメンスルホン酸、メタキシレンスルホン酸、安息香酸塩（防腐剤としての効果もある）などの可溶化剤
（ｘ）重量平均分子量２００以上、４００以下のポリエチレングリコール、重量平均分子量１，０００以上、２，０００以下のポリプロピレングリコールなどのポリアルキレングリコール系ゲル化防止重合体
（xi）オクタン、デカン、ドデカン、トリデカンなどのパラフィン類、デセン、ドデセンなどのオレフィン類、塩化メチレン、１，１，１−トリクロロエタンなどのハロゲン化アルキル類、Ｄ−リモネンなどのテルペン類などの水非混和性有機溶剤。
（xii）ゼオライトや結晶性層状シリケートなどの金属イオン交換剤
（xiii）色素、香料、抗菌防腐剤、シリコーン等の消泡剤
【００７１】
本発明の液体洗浄剤組成物の製造方法は、特に限定されるものではないが、例えば（ａ）成分のアルキルベンゼンスルホン酸塩については、原料に、塩になっているアルキルベンゼンスルホン酸塩を用いてもよく、また、原料に、酸型のアルキルベンゼンスルホン酸を用いて製造することも出来る。後者の場合は、たとえば、水を含む塩基性の配合原料（例えば塩基性の水溶液）にアルキルベンゼンスルホン酸を加える、または、水を含む配合原料（例えば水溶液）にアルキルベンゼンスルホン酸を加えた後、アルカリ剤を添加して組成物中で塩が形成されるようにする、などの方法が含まれる。
【００７２】
本発明の液体洗浄剤組成物は、家庭での洗濯用、更には手洗い洗濯用として好適であり、衣料、布帛、寝具、タオル等の繊維製品の手洗い洗濯に好適に用いられる。
【００７３】
本発明は、本発明の液体洗浄剤組成物を含む洗浄水を接触させた被洗浄物を手洗いする手洗い洗濯方法に関する。本発明の液体洗浄剤組成物を用いた手洗い洗濯方法としては、布帛のような被洗浄物に、本発明の液体洗浄剤組成物を含む洗浄水を接触させて手洗いする方法が挙げられる。洗浄水の接触は、浸漬、塗布、噴霧などにより行うことができる。接触時間が長いと洗浄効果が高く、５分以上、１５分以下、接触するとより良好な効果が得られる。また、汚れた部分に直接、本発明の液体洗浄剤組成物を塗布して５分以上、１５分以下、放置した後、本発明の液体洗浄剤組成物を含む洗浄水を接触させて手洗いするすると更に高い効果が得られる。
【００７４】
手洗い洗濯方法での洗浄水は、本発明の組成物又は組成物の水希釈物（例えば水溶液）が用いられる。ここで使用する水は水道水が一般的であり、日本をはじめ、各国の水道水は通常アルカリ度（緩衝能）を持っている。しかし、本発明の液体洗浄剤組成物は、アルカリ度を持つ水道水により希釈した場合でも、当該水道水の持つ緩衝能を超えてｐＨを８以上、好ましくは８．５以上、１０．５以下に維持できるため、設計通りの優れた洗浄性能が発現する。布帛のような被洗浄物の質量に対する洗浄水の質量は、好ましくは２倍以上、更に３倍以上、更に５倍以上、また、１００倍以下、更に５０倍以下、更に２５倍以下が好ましい。本発明に係る洗浄水を接触させた布帛等の被洗浄物を十分に手でこすり洗いすると高い洗浄力が得られるばかりか豊かな泡立ちがあるため、視覚的に好ましい。
【００７５】
本発明の手洗い洗濯方法は、手洗い後の被洗浄物を水ですすぐ工程を含むことが好ましい。こすり洗い等の手洗い後は洗浄水から布帛等の被洗浄物を取り出し、絞って水を切るか脱水機を用いて水を切り、新しい水〔以下、すすぎ水という〕に再度浸漬させる。すすぎ水は、洗面器などにためた水でも流水でもどちらでも良い。布帛に対するすすぎ水の質量は、すすぎに用いたすすぎ水の全量基準で、好ましくは２倍以上、更に５倍以上、更に１０倍以上、また、好ましくは１，０００倍以下、更に５００倍以下、更に１００倍以下である。すすぎ水を浸漬させた段階で布帛に残存している界面活性剤などが、すすぎ水に再溶解するため、泡立ちが見られる。この操作を数回繰り返すと泡立ちがなくなりすすぎ終了となる。
【００７６】
手洗いによる一般的な洗濯では、例えば通常の洗浄剤を用いた場合には、洗濯時に発生する泡が消えないため、一般的に５回以上必要となるが、本発明では３回以下ですすぎを終了でき、非常に少ないすすぎ水ですすぎを終了させることができ、無駄に水を使用する必要がなくなる。
【００７７】
本発明の液体洗浄剤組成物は、洗浄水の調製に用いる水の硬度及びすすぎ水の硬度の少なくとも何れかは、洗浄力とすすぎ性の観点から、１°ＤＨ以上、更に２°ＤＨ以上、更に３°ＤＨ以上、更に４°ＤＨ以上、更に６°ＤＨ以上、更に８°ＤＨ以上、更に１０°ＤＨ以であっても良く、また、５０°ＤＨ以下、更に４０°ＤＨ以下、更に３０°ＤＨ以上、更に２０°ＤＨ以下であることが好ましい。
【００７８】
本発明の態様を以下に例示する。
＜１＞
（ａ）非石鹸系アニオン性界面活性剤〔以下、（ａ）成分という〕５質量％以上、５０質量％以下
（ｂ）脂肪酸及び脂肪酸塩から選ばれる化合物〔以下、（ｂ）成分という〕、
（ｃ）アルカリ剤〔以下、（ｃ）成分という〕、
（ｄ）下記一般式（１）で示されるノニオン性界面活性剤〔以下、（ｄ）成分という〕、並びに、
水
を含有する液体洗浄剤組成物であって、
（ａ）成分として、（ａ−１）アルキルベンゼンスルホン酸塩〔以下、（ａ−１）成分という〕、（ａ−２）アルキル硫酸塩〔以下、（ａ−２）成分という〕、及び（ａ−３）ポリオキシアルキレンアルキルエーテル硫酸塩〔以下、（ａ−３）成分という〕から選ばれる１以上の非石鹸系アニオン性界面活性剤を含有し、
（ａ−１）成分の質量と（ａ−２）成分の質量の合計と（ａ）成分の質量との質量比が、［（ａ−１）成分＋（ａ−２）成分］／（ａ）成分で、０．５以上、１以下であり、
（ａ−３）成分の質量と（ａ）成分の質量との質量比が、（ａ−３）成分／（ａ）成分で、０．２以下であり、且つ、
（ａ−１）成分の質量と（ａ−２）成分の質量との質量比が、（ａ−１）成分／（ａ−２）成分で、０．２５以上、９以下である、
衣料用液体洗浄剤組成物。
Ｒ1Ｏ−［（Ｃ2Ｈ4Ｏ）m／（ＡＯ）n］Ｈ                  （１）
〔式中、Ｒ1は炭素数８以上、２２以下の炭化水素基であり、ＡＯは炭素数３以上、５以下のアルキレンオキシ基である。ｍ、ｎは平均付加モル数であって、ｍは１８以上、６０以下の数であり、ｎは０以上、５以下の数である。“／”はＣ2Ｈ4Ｏ基及びＡＯ基が、ランダム又はブロックのいずれに結合したものであってもよいことを示す。〕
【００７９】
＜２＞
（ａ−１）成分が、炭素数８以上、更に１０以上、そして、２０以下、更に１５以下のアルキル基を有するアルキルベンゼンスルホン酸塩である、前記＜１＞記載の衣料用液体洗浄剤組成物。
【００８０】
＜３＞
（ａ−２）成分が、炭素数１０以上、更に１２以上、そして、１６以下のアルキル基を有するアルキル硫酸塩である、前記＜１＞又は＜２＞記載の衣料用液体洗浄剤組成物。
【００８１】
＜４＞
（ａ−３）成分が、炭素数１０以上、更に１２以上、また、２０以下、更に１４以下のアルキル基、好ましくは炭素数１０以上、更に１２以上、また、２０以下、更に１４以下の直鎖１級アルコール若しくは直鎖２級アルコール由来のアルキル基又は炭素数１０以上、更に１２以上、また、２０以下、更に１４以下の分岐アルコール由来のアルキル基を有し、アルキレンオキシ基の平均付加モル数が０以上、更に０より大きい、更に０．５以上、更に１以上、また、５以下、更に４以下、更に３以下のポリオキシアルキレンアルキルエーテル硫酸エステル塩である、前記＜１＞〜＜３＞のいずれか記載の衣料用液体洗浄剤組成物。
【００８２】
＜５＞
（ａ−１）成分、（ａ−２）成分及び（ａ−３）以外の（ａ）成分が、パラフィンスルホン酸塩、α−スルホ脂肪酸アルキルエステル塩、及びα−オレフィンスルホン酸塩から選ばれる非石鹸系アニオン性界面活性剤である、前記＜１＞〜＜４＞のいずれか記載の衣料用液体洗浄剤組成物。
【００８３】
＜６＞
（ｂ）成分が、炭素数８以上、更に１０以上、また、炭素数４４以下、更に２８以下、更に１８以下の、直鎖又は分岐鎖のアルキル基を有する脂肪酸及び該脂肪酸の塩から選ばれる化合物である、前記＜１＞〜＜５＞のいずれか記載の衣料用液体洗浄剤組成物。
【００８４】
＜７＞
（ｂ）成分として、炭素数が１２以上、１４以下の脂肪酸（以下、Ｃ12〜14脂肪酸という）と炭素数１６以上、１８以下の脂肪酸（以下、Ｃ16〜18脂肪酸という）とを含む、前記＜１＞〜＜６＞のいずれか記載の衣料用液体洗浄剤組成物。
【００８５】
＜８＞
Ｃ16〜18脂肪酸／Ｃ12〜14脂肪酸の質量比が、１／９９以上、更に４／９６以上、更に８／９２以上、更に１２／８８以上、更に１８／８２以上であり、また、好ましくは６０／４０以下、更に５０／５０以下、更に４０／６０以下である、前記＜７＞記載の衣料用液体洗浄剤組成物。
【００８６】
＜９＞
Ｃ12〜14脂肪酸が、炭素数１２の脂肪酸又はその塩である、前記＜７＞又は＜８＞記載の衣料用液体洗浄剤組成物。
【００８７】
＜１０＞
Ｃ16〜18脂肪酸が、炭素数１６の脂肪酸又はその塩である、前記＜７＞〜＜９＞のいずれか記載の衣料用液体洗浄剤組成物。
【００８８】
＜１１＞
（ｂ）成分中、更に、Ｃ12〜14脂肪酸とＣ16〜18脂肪酸の含有量の合計中、炭素数１２の脂肪酸又はその塩と炭素数１６の脂肪酸又はその塩の含有量の合計の割合が、７０質量％以上、更に８０質量％以上、更に９０質量％以上、更に９５質量％以上、そして、１００質量％以下である、更に１００質量％である、前記＜７＞〜＜１０＞のいずれか記載の衣料用液体洗浄剤組成物。
【００８９】
＜１２＞
（ｃ）成分が、アルカノールアミン及び炭酸塩から選ばれる１種以上のアルカリ剤である、前記＜１＞〜＜１１＞のいずれか記載の衣料用液体洗浄剤組成物。
【００９０】
＜１３＞
（ｃ）成分が、炭素数２以上、４以下のアルカノール基を１以上、３以下、有するアルカノールアミン、炭酸塩及びアルカリ金属水酸化物から選ばれる１種以上のアルカリ剤である、前記＜１＞〜＜１２＞のいずれか記載の衣料用液体洗浄剤組成物。
【００９１】
＜１４＞
（ｃ）成分の２５℃のｐＫａが、８．５以上、更に８．７以上、更に９以上、また、１０．６以下、更に１０以下、更に９．６以下である、前記＜１＞〜＜１３＞のいずれか記載の衣料用液体洗浄剤組成物。
【００９２】
＜１５＞
アルカノールアミンが、モノアルカノールアミン及びジアルカノールアミンから選ばれる一種以上である、前記＜１２＞〜＜１４＞のいずれか記載の衣料用液体洗浄剤組成物。
【００９３】
＜１６＞
炭酸塩が、炭酸水素アルカリ金属塩、炭酸アルカリ金属塩及びセスキ炭酸アルカリ金属塩からなる群から選ばれる一種以上の化合物である、前記＜１２＞〜＜１５＞のいずれか記載の衣料用液体洗浄剤組成物。
【００９４】
＜１７＞
（ｃ）成分として、アルカノールアミンと炭酸塩とを含有する、前記＜１＞〜＜１６＞のいずれか記載の衣料用液体洗浄剤組成物。
【００９５】
＜１８＞
（ｄ）成分が、一般式（１）中のＲ1が炭素数８以上、更に１０以上、そして、２２以下、更に１８以下、更に１６以下、更に１４以下の炭化水素基のノニオン性界面活性剤である、前記＜１＞〜＜１７＞のいずれか記載の衣料用液体洗浄剤組成物。
【００９６】
＜１９＞
（ｄ）成分が、一般式（１）中のｍが１８以上、更に２０以上、そして、４５以下、更に３５以下のノニオン性界面活性剤である、前記＜１＞〜＜１８＞のいずれか記載の衣料用液体洗浄剤組成物。
【００９７】
＜２０＞
（ａ）成分を、組成物中、７質量％以上、更に９質量％以上、そして、４０質量％以下、更に３０質量％以下、より更に２０質量％以下含有する、前記＜１＞〜＜１９＞のいずれか記載の衣料用液体洗浄剤組成物。
【００９８】
＜２１＞
（ｂ）成分を、組成物中、０．４質量％以上、更に０．６質量％以上、より更に０．８質量％以上、そして、５質量％以下、更に４質量％以下、より更に３質量％以下、より更に２．５質量％以下含有する、前記＜１＞〜＜２０＞のいずれか記載の衣料用液体洗浄剤組成物。
【００９９】
＜２２＞
（ｃ）成分を１質量％以上、更に１．５質量％以上、そして、５質量％以下、更に３質量％以下含有する、前記＜１＞〜＜２１＞のいずれか記載の衣料用液体洗浄剤組成物。
【０１００】
＜２３＞
（ｄ）成分を０．５質量％以上、更に１．０質量％以上、より更に１．５質量％以上、そして、５．０質量％以下、更に３．０質量％以下、より更に２．５質量％以下に含有する、前記＜１＞〜＜２２＞のいずれか記載の衣料用液体洗浄剤組成物。
【０１０１】
＜２４＞
［（ａ−１）成分＋（ａ−２）成分］／（ａ）成分の質量比が、０．６以上、更に０．７以上、更に０．８以上、更に０．９以上、更に０．９５以上である、前記＜１＞〜＜２３＞のいずれか記載の衣料用液体洗浄剤組成物。
【０１０２】
＜２５＞
（ａ−３）成分／（ａ）成分の質量比が、０．１以下、更に０．０５以下、更に０である、前記＜１＞〜＜２４＞のいずれか記載の衣料用液体洗浄剤組成物。
【０１０３】
＜２６＞
（ａ−１）成分／（ａ−２）成分の質量比が、０．４以上、更に０．４５以上、更に０．５以上、更に０．７以上、更に０．９以上、更に１以上、そして、６以下、更に４以下、更に２以下、更に１．５以下である、前記＜１＞〜＜２５＞のいずれか記載の衣料用液体洗浄剤組成物。
【０１０４】
＜２７＞
（ａ）成分の質量と（ｄ）成分の質量の合計と（ｂ）成分の質量との質量比［（ａ）成分＋（ｄ）成分］／（ｂ）成分が、４以上、更に６以上、更に８以上、更に１０以上、更に１２以上、更に１４以上、そして、５０以下、更に４０以下、更に３０以下、更に２５以下である、前記＜１＞〜＜２６＞のいずれか記載の衣料用液体洗浄剤組成物。
【０１０５】
＜２８＞
水の含有量が、組成物全体で１００質量％となる量である、更に、組成物中、３０質量％以上、更に４０質量％以上、より更に５０質量％以上、また、９０質量％以下、更に８５質量％以下、より更に８０質量％以下である、前記＜１＞〜＜２７＞のいずれか記載の衣料用液体洗浄剤組成物。
【０１０６】
＜２９＞
（ｆ）成分として、アミンオキシド及びベタインから選ばれる泡ブースター、中でもアミンオキシドから選ばれる泡ブースターの含有量が、組成物中の５質量％以下、更には３質量％以下、更には１．５質量％以下、更には０．５質量％以下である、前記＜１＞〜＜２８＞のいずれか記載の衣料用液体洗浄剤組成物。
【０１０７】
＜３０＞
ＪＩＳ  Ｋ３３６２：２００８  ８．３記載の２５℃で測定するｐＨが、好ましくは９以上、更に好ましくは９．３以上、より好ましくは９．５以上、そして、好ましくは１１以下、更に好ましくは１０．５以下、より好ましくは１０．２以下、更により好ましくは１０以下である、前記＜１＞〜＜２９＞のいずれか記載の衣料用液体洗浄剤組成物。
【０１０８】
＜３１＞
アルカリ度＝６５ＣａＣＯ3ｍｇ／ｌ、ｐＨ７．１５の水で２００倍希釈した水希釈物のＪＩＳ  Ｋ３３６２：２００８  ８．３記載の２５℃で測定するｐＨが、好ましくは８．５以上、より好ましくは８．７以上、更に好ましくは８．９以上、更により好ましくは９以上、そして、好ましくは１０．５以下、より好ましくは１０．１以下、更に好ましくは９．７以下、更により好ましくは９．５以下である、前記＜１＞〜＜３０＞のいずれか記載の衣料用液体洗浄剤組成物。
【０１０９】
＜３２＞
（ｇ）成分として、２５℃のイオン交換水１Ｌに５０ｇ以上溶解する水混和性有機溶剤を、組成物中、０．１質量％以上、更に０．３質量％以上、更に０．５質量％以上、更に１質量％以上、１．５質量％以上、より更に２質量％以上、そして、４０質量％以下、更に２０質量％以下、更に１０質量％以下、より更に５質量％以下含有する、前記＜１＞〜＜３１＞のいずれか記載の衣料用液体洗浄剤組成物。
【０１１０】
＜３３＞
前記＜１＞〜＜３２＞のいずれか記載の、抑臭・消臭効果に優れる衣料用液体洗浄剤組成物。
【０１１１】
＜３４＞
前記＜１＞〜＜３３＞のいずれか記載の衣料用液体洗浄剤組成物を含む洗浄水を接触させた被洗浄物を手洗いする手洗い洗濯方法。
【０１１２】
＜３５＞
接触時間が５分以上、１５分以下である、前記＜３４＞の手洗い洗濯方法。
【０１１３】
＜３６＞
手洗い後の被洗浄物を水ですすぐ工程を含み、洗浄水の調製に用いる水の硬度及びすすぎ水の硬度の少なくとも何れかが、１°ＤＨ以上、更に２°ＤＨ以上、更に３°ＤＨ以上、更に４°ＤＨ以上、更に６°ＤＨ以上、更に８°ＤＨ以上、更に１０°ＤＨ以、そして、５０°ＤＨ以下、更に４０°ＤＨ以下、更に３０°ＤＨ以上、更に２０°ＤＨ以下である、前記＜３４＞又は＜３５＞記載の手洗い洗濯方法。
【実施例】
【０１１４】
表１に示す液体洗浄剤組成物を調製し、以下の方法で抑臭効果、洗浄力、すすぎ性を評価した。結果を表１に示す。なお、表中の配合成分は以下のものである。また、表中、ＮａＯＨの「適量」とは、組成物のｐＨを表中の値とするために要する量である。
【０１１５】
＜配合成分＞
・ＬＡＳ−Ｎａ：ラウリルベンゼンスルホン酸ナトリウム、ネオペレックスＧ−１５（花王（株）製）
・ＡＳ−Ｎａ：ラウリル硫酸ナトリウム、エマール１０G（花王（株）製）
・ＡＥＳ−Ｎａ（ＥＯ＝２）：ポリオキシエチレン（平均付加モル数２）ラウリルエーテル硫酸エステルナトリウム、エマール２７０Ｊ（花王（株）製）
・Ｃ１２ＦＡ：ルナックＬ−９８（花王（株）製）
・Ｃ１６ＦＡ：ルナックＰ−９５（花王（株）製）
・ＮａＨＣＯ3：和光純薬工業（株）製
・ＥＯノニオン（１）：炭素数１０〜１４の直鎖アルキル基を有する１級アルコールにエチレンオキシドを平均２０モル付加させたポリオキシエチレンアルキルエーテル
・ＥＯノニオン（２）：炭素数１０〜１４の直鎖アルキル基を有する１級アルコールにエチレンオキシドを平均９モル付加させたあと、プロピレンオキシドを平均２モル付加し、さらにエチレンオキシドを平均９モル付加させたブロック重合させたポリオキシアルキレンアルキルエーテル
・ＥＯノニオン（３）：炭素数１０〜１４の直鎖アルキル基を有する１級アルコールにエチレンオキシドを平均３５モル付加させたポリオキシエチレンアルキルエーテル
・ＥＯノニオン（４）：炭素数１０〜１４の直鎖アルキル基を有する１級アルコールにエチレンオキシドを平均７モル付加させたポリオキシエチレンアルキルエーテル
【０１１６】
＜評価用肌着の調製方法＞
市販肌着２．５ｋｇ〔グンゼ社製（ＹＧ１６１４丸首Ｌサイズ  木綿１００％）〕を洗濯機（Panasonic製 NA-F70PB1 '2008）で、水温２０℃、炭酸カルシウム換算で89.5ｍｇ／Ｌの硬水を用いて洗濯を５回繰り返して処理剤を除去した。洗濯条件は、水量５４Ｌ、洗い１２分、ためすすぎ２回、脱水５分であった。その際に、ノニオン性界面活性剤（炭素数１２のアルキル基からなる１級アルコールにオキシエチレン基を平均６モル付加させたもの）、非晶質ケイ酸ナトリウム、炭酸ナトリウムを１：１：３の質量比で混合したものを０．５ｇ／Ｌで使用した。その後、水温２０℃、炭酸カルシウム換算で89.5ｍｇ／Ｌの硬水を用いて、２槽式洗濯機（HITACHI製、PS-H35L'2008）で、流水すすぎを行った。すすぎを止めた際に完全に泡がなくなるまですすぎを行い、処理剤及び洗浄成分を除去したものを自然乾燥にて乾燥させ評価用肌着として使用した。
【０１１７】
＜評価＞
（１）抑臭効果
３つの家庭から１本ずつ回収した中古タオル（材質：綿）から、タオル１枚につき１枚の試験用タオル片（６ｃｍ×６ｃｍ四方）を調製した（合計３枚のタオル片を調製した）。表の液体洗浄剤組成物を用いて、３枚のタオル片を洗濯（ターゴトメーター８５ｒｐｍ、１０分、液体洗浄剤組成物の濃度１質量％、すすぎ３分を２回）した後、３０℃、湿度７０％の恒温室内で１２時間乾燥させた。恒温室で乾燥させた３枚のタオル片について、１枚ずつ１０人のパネラー（２０〜３０代男女１０人）が下記基準でニオイを判定し、３枚のタオル片の合計点から求めた平均点により、液体洗浄剤組成物の抑臭効果を評価した。表にはその平均点を示した。
＊ニオイの判定基準
０：無臭
１：かすかにニオイを感じるが気にならない程度である
２：ニオイがする
３：顕著にニオイがする
４：強烈なニオイがする
【０１１８】
（２）洗浄力評価
〔人工汚染布の作製〕
使用した人工汚染布は、６ｃｍ×６ｃｍの木綿／ポリエステル混紡ブロード染着布（木綿／ポリエステル比＝６５／３５  谷頭商店より購入）に、下記組成から成る人工汚垢を１枚当り１００ｍｇになるようグラビア塗工したものである。
【０１１９】
＊人工汚垢
下記Ａ、Ｂ、Ｃ、Ｄ、Ｅを含有する組成物を人工汚垢とした。それぞれの質量％は、最終組成の人工汚垢中の割合であり、合計が１００質量％となるようにＢの量を調節した。
Ａ：下記組成の調整油（人工汚垢中の質量％が、ラウリン酸０．４４質量％、ミリスチン酸３．１５質量％、ペンタデカン酸２．３５質量％、パルチミチン酸９．３１質量％、ヘプタデカン酸０．４４質量％、ステアリン酸１．６質量％、オレイン酸１．９１質量％、トリミリスチン１３．３３質量％、パルミチン酸ｎ−ヘキサデシル５．２２質量％、スクアレン６．６６質量％となる量で用いる）
Ｂ：塩化カルシウム（２水塩）１０５ｍｇを秤量し、蒸留水に溶かして１，０００ｍｌとして得た硬水
Ｃ：卵白レシチン液晶物１．９８質量％（蒸留水８０ｍｌにアルギニン塩酸塩１１．３７ｇ、ヒスチジン４．２０ｇ、セリン２．４４ｇを溶解し、濃塩酸でｐＨを５．０に調整した後、この溶液と卵白レシチンをミキサーで十分混ぜ合わせて得た卵白レシチン液晶物）
Ｄ：鹿沼赤土８．１１質量％
Ｅ：カーボンブラック０．０２５質量％
・調整油
ラウリン酸１質量％、ミリスチン酸７．１質量％、ペンタデカン酸５．３質量％、パルチミチン酸１４．２質量％、ヘプタデカン酸１質量％、ステアリン酸３．６質量％、オレイン酸１７．８質量％、トリオレイン３０質量％、パルミチン酸ｎ−ヘキサデシル５質量％、スクアレン１５質量％を約６０℃に加温し、均一に溶解混合したものを調整油とした。
【０１２０】
〔洗浄条件〕
液体洗浄剤組成物２ｇを、炭酸カルシウム換算で１７９ｍｇ／Ｌ、アルカリ度６５ＣａＣＯ3ｍｇ／ｌ、ｐＨ７．１５の硬水〔塩化カルシウム（ＣａＣｌ2・２Ｈ2Ｏ）１．５７ｇと硫酸マグネシウム（ＭｇＳＯ4・６Ｈ2Ｏ）１．４５ｇと重曹１．６ｇにイオン交換水を加えて１０Ｌとし、塩酸で調整したもの、Ｃａ／Ｍｇ＝６／４（モル比）〕１Ｌに溶解し、そこに上記人工汚染布４枚入れてターゴトメーターにて以下の条件で洗浄した。
洗浄時間１０分
水温２０℃
【０１２１】
汚染前の原布、及び洗浄前後の５５０ｎｍにおける反射率を測色色差計（日本電色株式会社製  Ｚ−３００Ａ）にて測定し、次式によって洗浄率（％）を求めた（４枚の洗浄率の平均値を採用する）。
洗浄率（％）＝１００×［（洗浄後の反射率−洗浄前の反射率）／（原布の反射率−洗浄前の反射率）］
洗浄力の判定は、表１の液体洗浄剤組成物の洗浄率を比較例１の洗浄率と対比して行った。そして、以下のように評価した。ここで、比較例１の洗浄率は３４％であった。
Ｉ：洗浄率が比較例１よりも６％以上高い。
II：洗浄率が比較例１よりも２％以上６％未満高い。
III：洗浄率が比較例１よりも２％未満高い、又は洗浄率が比較例１と同等以下である。
【０１２２】
（３）すすぎ性評価
モデル円形洗面器（底面の直径２５ｃｍ、高さ１５ｃｍの円柱のアクリル製容器）に、水温２０℃、炭酸カルシウム換算で１７９ｍｇ／Ｌ（本硬水はドイツ硬度で１０°ＤＨに相当する）、アルカリ度６５ＣａＣＯ3ｍｇ／ｌ、ｐＨ７．１５の硬水〔塩化カルシウム（ＣａＣｌ2・２Ｈ2Ｏ）１．５７ｇと硫酸マグネシウム（ＭｇＳＯ4・６Ｈ2Ｏ）１．４５ｇと重曹１．６ｇにイオン交換水を加えて１０Ｌとし、塩酸で調整したもの、Ｃａ／Ｍｇ＝６／４（モル比）〕３Ｌを注入する。そこに液体洗浄剤組成物を２０ｇ添加し、溶解させる。次いでそこに、上記洗浄力評価で用いた調整油を、加温（６０℃）して、３枚で１ｇになるように（１枚当り約０．３３ｇ）襟元にスポイド（φ：２ｍｍ）を用いて滴下した評価用肌着を投じ、洗浄液に完全に浸る状態で１５分間放置する。１５分間放置後、肌着１枚に付き５０回もみ洗い（布と布を擦り合わせながら１往復（約１秒）で１回と換算）する。その後、肌着を取り出し、肌着の含水量が肌着に対して１００〜１４０％程度になるように絞る。
【０１２３】
新たに、モデル円形洗面器（底面の直径２５ｃｍ、高さ１５ｃｍの円柱状のアクリル製容器）に、水温２０℃、炭酸カルシウム換算で１７９ｍｇ／Ｌ、アルカリ度６５ＣａＣＯ3ｍｇ／ｌ（本硬水はドイツ硬度で１０°ＤＨに相当する）、ｐＨ７．１５の硬水（前記洗浄力評価で用いたものと同様に調製したもの）５Ｌを注入し、上記で絞った評価用肌着３枚を投入する。肌着をすすぎ水中でほぐした後、ほぐした肌着を１枚ずつエリの部分を持って浴中から上に持ち上げ（浴中から洗面器上約５ｃｍの高さまで衣料全体が抜け切るまで持ち上げる）、その後再び浴中へ戻す。このような上下運動によるすすぎを１枚の肌着につき１０回繰り返した後、肌着の含水量が肌着に対して１００〜１４０％程度になるように洗面器から１０ｃｍ上で絞る。３枚の肌着のすすぎ、脱水が終わった直後のすすぎ水の液面状態を観察し、下記の基準でポイントをつける。これが１回の評価である。更に、この脱水した肌着に新しいすすぎ水を投入し、この評価をあと２回繰り返す（１つの液体洗浄剤組成物について同じ肌着３枚を繰り返して用いる）ことを行い、３回の評価におけるポイントの平均点ですすぎ性を評価した。
＊ポイントの基準
６：液面全体を泡高さ１ｃｍ以上の泡が残っている
５：液面全体に泡が残っている（１ｃｍ未満）
４：液面の１／２程度に泡が残っている
３：液面の１／４程度に泡が残っている
２：液面に細かい泡が残っている
１：液面に泡が残っていない
【０１２４】
【表１】
2014125520.tif 000002